【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
「アプリケーション管理部」、「装置運動検出部」、「装置環境検出部」、「装置電力供給検出部」、「ユーザー使用モード分析部」、「グラフィカルユーザーインターフェース」、「クイックボイスアシスタント」、及び「クイックスライドアシスタント」を備えた、モバイル装置のための操作システムであって、
前記操作システムが、
（ａ）デフォルトでアプリケーションのアイコンが「ホーム画面」上に表示されず、インストールされたアプリケーションのアイコンが「グローバルアプリケーションアイコンインターフェイス」上に表示され、
（ｂ）アプリケーションの異なる状態を検出して、アプリケーションの状態がシステム及びユーザーの設定条件に適合する場合、ホーム画面上にアプリケーションのアイコンを自動的に表示し、
（ｃ）アプリケーションの状態がシステム及びユーザーの状態に適合しない場合、ホーム画面から自動的にそのアプリケーションのアイコンを除去する、
工程を含む「スマート動的アイコン」を備え、
前記操作システムが、
（ｄ）装置内のセンサーを通じて３次元空間中の装置の運動の変数値を検出し、
（ｅ）装置内のセンサーを通じて装置の環境の変数値を検出し、
（ｆ）装置内の回路を通じて装置の電力供給状態を検出し、
（ｇ）そして、装置運動の変数値、装置環境の変数値、及び装置電力供給の状態の結合を基礎としてユーザーの装置の使用状況を計算し、
（ｈ）計算されたユーザーの装置の使用状況がシステム及びユーザーの設定条件に適合する場合、設定操作を実行し、
（ｉ）設定操作は自動的な起動、自動ロック解除、自動スリープ、シャットダウン、電源オン、システム及びユーザー設定のアプリケーションの直接開始、現在実行中のアプリケーションの終了、ホーム画面のカテゴリーのアプリケーションアイコンの自動表示を含む、工程を含む「スマートジェスチャー」を備え、
前記操作システムが、
（ｊ）装置内のマイクを通じてアプリケーションの名前を話したユーザーの音声が入力され、
（ｋ）口語の名前を、ユーザーがインストールした全てのアプリケーションの名前の音声を含む「アプリケーション名音声ライブラリー」と比較し、
（ｌ）比較された結果がユーザーの音声と適合する、対応するアプリケーションを直接開く
工程を含む「クイックボイスアシスタント」を備える、
モバイル装置のための操作システム。
【請求項２】
前記「スマート動的アイコン」はさらに下記の工程を備え、
「アプリケーション管理部」は「アプリケーション状態検出部」、「アプリケーションアイコン管理部」、「アプリケーション開始部」、及び「アプリケーションインストール及び消去部」を備え、
「アプリケーション管理部」は「アプリケーション状態検出部」を通じて全てのアプリケーションの状態を検出し、検出されるアプリケーションの状態は「アップデート状態」又は「非アップデート状態」であり、
「アプリケーション管理部」がアプリケーションの状態が「アップデート状態」であると検出する場合、その後「アプリケーションアイコン管理部」がホーム画面に該アプリケーションのアイコンを自動表示し、
「アプリケーションアイコン管理部」は全てのアプリケーションアイコンの、アプリケーションアイコンが表示されるか表示されないか、デスクトップに表示される場合のデスクトップ上の表示位置、表示サイズ、表示時間、表示形態、及び表示音を管理し、
ユーザーがアプリケーションのアイコンをタッチする場合に、「アプリケーション開始部」が該アプリケーションを開き、かつ実行し、
「アプリケーション状態検出部」がホーム画面上のアプリケーションを検出し、状態が「非アップデート状態」である場合、そして「アプリケーションアイコン管理部」が該アプリケーションのアイコンをホーム画面から自動除去し、
ユーザーが「アップデート状態」のアプリケーションアイコンから左にスライド又は右にスライドして、アップデート状態を無視し、又はホームボタンをタッチしてアップデート状態を無視する場合、「アプリケーション管理部」がアプリケーションのアイコンをホーム画面から除去し、
ユーザーが「アップデート状態」のアプリケーションのアイコンから下方にスライド又は上方にスライドする場合、アップデート内容が直接表示され、
又は「アプリケーション状態検出部」がアプリケーションを検出し、状態が「アップデート状態」である場合、そしてアップデート内容がホーム画面に自動表示され、アップデート内容は設定時間後に自動消滅し、又はユーザーがタッチし、かつ読んだ後に消滅し、又はアップデート内容から左にスライドする又は右にスライドする場合に消滅し、
そのアプリケーションの状態が「アップデート状態」である場合、アプリケーションアイコンがホーム画面に自動表示されるかどうか、アプリケーションアイコンが常にホーム画面に表示されるかどうか、アプリケーションアイコンが異なるアップデート内容の種類、異なるアップデート内容の発信元、及び「アップデート状態」の異なるアップデート内容の目的によって自動表示されるかどうかを、それぞれのユーザーがアプリケーション毎に個別にカスタマイズできる
請求項１に記載の操作システム。
【請求項３】
前記システムは
「ユーザータッチ経路識別部」及び「ユーザータッチ経路モードライブラリー」を備えた「クイックスライドアシスタント」を備え、
ここで、「ユーザータッチ経路識別部」はタッチ画面上のユーザータッチ経路及びスライド経路をタッチセンサーを通じて検出し、かつ識別し、
「ユーザータッチ経路モードライブラリー」は一連の特定のタッチ及びスライド経路モードを含み、「ユーザータッチ経路モードライブラリー」は１本指又は複数指のタッチ又はダブルタッチを含み、１本指又は複数指は直線、アーク線、折れ線、円、三角形、矩形、記号をスライドし、記号はアルファベット記号、文字記号、数字記号、算数記号を含み、
「ユーザータッチ経路識別部」がタッチ画面上のユーザーのタッチ及びスライド経路を検出し、かつ識別する場合、該タッチ及びスライド経路を「ユーザータッチ経路モードライブラリー」と比較し、その後「アプリケーション開始部」を通じて該タッチ及びスライド経路に対応するアプリケーションを直接開き、
同じようなスライド経路でも、異なる表示内容区域を通過すれば、相応するアプリケーションも異なり、
同じようなスライド経路でも、異なるアプリケーションアイコンを開始点とすれば、相応するアプリケーションも異なり、
同じようなスライド経路でも、指の数が異なるか、又は指と指を揃えるか離すかによって、相応するアプリケーションも異なる
請求項１に記載の操作システム。
【請求項４】
前記「クイックボイスアシスタント」はさらに下記の工程を備え、
「クイックボイスアシスタント」は「音声入力部」、「アプリケーション名音声ライブラリー」、「音声比較部」、及び「音声テキスト会話部」を備え、
「音声入力部」はマイクを通じて音声が入力され、アプリケーション名のユーザーの話し声を記録し、かつ、「音声比較部」を用いて該記録音声を「アプリケーション名音声ライブラリー」と比較し、その後名前の音声の比較結果がユーザーの話し声と一致するアプリケーションを直接開き、
「アプリケーション名音声ライブラリー」は、ユーザーが新規のアプリケーションをインストールする度毎に、該アプリケーション名の音声がサーバーからダウンロードされ、又は、ユーザーがインストールした全てのアプリケーションの名前の音声がサーバーから１度にダウンロードされ、
「アプリケーション名音声ライブラリー」は、ユーザーがアプリケーションをアンインストールする場合、システムが該アプリケーション名の音声を「アプリケーション名音声ライブラリー」から消去し、
又は、アプリケーション名音声ライブラリーは「音声テキスト会話部」を通じてユーザーがインストールした全てのアプリケーションの文字を音声に変換し、
ユーザーがホーム画面の空き領域を長く押すと、システムが「クイックボイスアシスタント」を起動する
請求項１に記載の操作システム。
【請求項５】
前記「スマートジェスチャー」はさらに下記の工程を備え、
「スマートジェスチャー」は「装置運動検出部」、「装置環境検出部」、「装置電力供給検出部」、及び「ユーザー使用モード分析部」を備え、
「装置運動検出部」は３次元空間中の装置の運動変数値を検出し、運動変数値は変位、角速度、速度、加速度、回転ベクトル、高さ、及び傾斜度を含み、
「装置環境検出部」は装置の周囲の環境変数値を検出し、環境変数値は光、温度、湿度、音、地理的位置、重力、現地時間、心拍数、汗、血圧、血糖、心電図、筋電図、脳波、及び顔認識を含み、
「装置電力供給部」は装置の電力供給状態を検出し、装置の電力供給状態はアダプター電力供給、内部バッテリー電力供給、外部バッテリー電力供給、バッテリー充電、シャットダウン、電源オン、休止状態、スリープ、スタンバイ、起動、供給電圧、及び供給電流を含み、
「ユーザー使用モード」は、縦方向の携帯装置、横方向の携帯装置、物体上に水平に置かれる装置、縦方向に持ち上げる装置、ポケット又は鞄の中に位置する装置のモードを含み、「ユーザー使用モード」はこれら５つのモード及びこれら５つのモード間の切り替えを含み、
「ユーザー使用モード分析部」は、３次元空間中の装置の運動経路変数値、装置の周囲の環境変数値を計算し、装置の電力供給状態と合わせて、ユーザー使用モードが上記５つのモードのいずれであるか、または５つのモード間の任意の切り替えであるかを測定し、
システムは「ユーザー使用モード分析部」を通じて「ユーザー使用モード」を判断し、その後システムは判断された「ユーザー使用モード」に応じて、システム及びユーザーが設定した該「ユーザー使用モード」に相応する動作を実行する
請求項１に記載の操作システム。
【請求項６】
システムが、装置の高さ変数値の０の値への変化、３軸角の変数値の０の値への変化、及び電力供給状態が「スリープ」又は「シャットダウン」であることを検出する場合に、「ユーザー使用モード分析部」は装置の「ユーザー使用モード」が「物体上に水平に置かれる装置」であると分析し、
システムが、装置の高さ変数値の設定値未満の値の変化、３軸角の変数値の０以上設定値未満の値の変化、設定値未満の装置の周囲の光の変数値、及び「スリープ」又は「シャットダウン」である電力供給状態を検出する場合に、「ユーザー使用モード分析部」は装置の「ユーザー使用モード」が「ポケット又は鞄の中に位置する装置」であると分析し、
システムが、装置画面と水平面との間の角度が２つの設定値の間であり、装置の縦方向（長さ方向）と水平面との間の角度が設定値以上であり、かつ電力供給状態が「ロック解除」状態であると検出する場合に、その後「ユーザー使用モード分析部」は装置の「ユーザー使用モード」が「縦方向の携帯装置」であると分析し、
システムが、装置画面と水平面との間の角度が２つの設定値の間であり、装置の横方向（幅方向）と水平面との間の角度が設定値以上であり、かつ電力供給状態が「ロック解除」状態であると検出する場合に、その後「ユーザー使用モード分析部」は装置の「ユーザー使用モード」が「横方向の携帯装置」であると分析し、
システムが、装置画面と水平面との間の角度が設定値以上であり、かつ電力供給状態が「ロック解除」状態であると検出する場合に、その後「ユーザー使用モード分析部」は装置の「ユーザー使用モード」が「縦方向に持ち上げる装置」であると分析し、
システムが、装置の高さ変数の設定値以上の値の変化、かつ同時に、装置の周囲の光の変数が「増光」に変化し、かつ変化値が設定値以上であると検出する場合に、装置は自動的に起動し、又は装置は自動ロック解除スライドと共に同時に自動的に起動し、
システムが、装置の高さ変数の設定値以上の値の変化、かつ同時に、装置の周囲の光の変数が「遮光」に変化し、かつ変化値が設定値以上であると検出する場合に、装置は自動的にスリープし、
システムが、装置の高さ変数の設定値以上の値の変化、かつ同時に、装置画面と水平面との間の角度が設定値以上であると検出する場合に、装置は自動的にカメラアプリケーションを開き、
システムが「縦方向の携帯装置」又は「横方向の携帯装置」から「物体上に水平に置かれる装置」への変化を検知する場合に、装置は自動的にスリープし、
システムが「物体上に水平に置かれる装置」  から「縦方向の携帯装置」又は「横方向の携帯装置」までへの変化を検知する場合に、装置は自動的に起動し、又は装置は同時に自動的に起動すると共に自動スライドでロック解除し、
システムが「縦方向の携帯装置」から「横方向の携帯装置」までへの変化を検知する場合に、システムは自動的にビデオアプリケーションを開き、又はホーム画面上にインストールされている全てのビデオ類アプリケーションを表示する
請求項１に記載の操作システム。
【請求項７】
検出された「ユーザー使用モード」が「物体上に水平に置かれる装置」であり、かつシステムが装置の右及び左、又は前及び後ろの振動を検出する場合、装置は自動的に起動し、
検出された「ユーザー使用モード」が「縦方向の携帯装置」であり、かつシステムが装置の右及び左、又は上及び下、又は前及び後ろの振動を検出する場合、システムはシステム及びユーザーによって設定された対応するＩＭアプリケーションを直接開き、
システムは異なる運動振幅、異なる運動速度、異なる運動力、及び異なる運動の回数に従って異なるアプリケーションを開き、
同じジェスチャーに対しても、システムは異なる現地時間、及び異なる位置に従って異なるアプリケーションを開き、
夜、設定時刻後であり、かつ電話及び画面を下向きにひっくり返すと、システムは自動的にシャットダウンし、朝、設定時刻後であり、かつ電話及び画面を上向きにひっくり返すと、システムは自動的に電源をオンにし、２つの設定時間の間で電話及び画面を下向きにひっくり返すと、消音機能又はアプリケーション終了機能である
請求項１に記載の操作システム。
【請求項８】
「グラフィカルユーザーインターフェース」が「ホーム画面」、「グローバルアプリケーションアイコンインターフェース」、「全画面アプリケーションインターフェース」、「ファイルブラウザーインターフェース」、及び「マルチタスクインターフェース」を備え、
「ホーム画面」はホーム画面上端のステータスバー、ホーム画面下端のドックバー、ホーム画面中央のデスクトップの３つの区域を備え、デスクトップはリアルタイム情報表示領域を有し、
ユーザーは２本指又は複数の指でリアルタイム情報表示領域をタッチして「時計」アプリケーションを開き、
ユーザーは１本指でステータスバー中の指示アイコンをタッチ又は長押しして、それらの指示機能を直接設定し、
ユーザーが複数の指でステータスバーをタッチして「設定」アプリケーションを開き、
ステータスバー中の通信信号表示アイコンは通信信号の強度を示すために異なる色及び異なる点滅を有し、緑又は青の表示は信号が強いことを示し、黄色又は黄色の点滅の表示は信号が普通であることを示し、赤色又は赤色の点滅の表示は信号が弱いことを示し、
「全画面アプリケーションインターフェース」は画面全体の全ての表示領域を有し、画面上端のステータスバーは固定されておらず、
「グローバルアプリケーションアイコンインターフェース」はホーム画面上端の検索バー、ホーム画面中央のアプリケーションアイコン表示領域、ホーム画面下端のドックバーの３つの区域を備え、ドックバーにはゴミ箱アイコンがあり、アプリケーションアイコン表示領域はドックバーのアプリケーションを除いて全てのアプリケーションアイコンを表示し、
「グローバルアプリケーションアイコンインターフェース」はユーザーがインストールしたアプリケーションの数量に従ってアプリケーションアイコンの表示サイズを調整し、
「グローバルアプリケーションアイコンインターフェース」はユーザーの使用頻度に従ってアプリケーションアイコンを配列し、又はユーザーの開放時間に従って配列し、又はアプリケーションの種類に従ってアプリケーションアイコンを配列し、
「グローバルアプリケーションアイコンインターフェース」は、ユーザーの使用頻度、ユーザーの開放時間、及びアプリケーションの種類に従って異なるアプリケーションアイコンを異なる表示サイズで表示し、
「グローバルアプリケーションアイコンインターフェース」において、１本指のダブルタッチは表示アイコンを拡大及び縮小し、２本指の分離又は一緒の移動は表示アイコンを拡大及び縮小し、
「グローバルアプリケーションアイコンインターフェース」では、アプリケーションアイコンをゴミ箱にドラッグするときは、システムはアプリケーションをアンインストールし、かつゴミ箱を長押しすると消去されたアプリケーションを回復及び再インストールすることを選択し、
「グローバルアプリケーションアイコンインターフェース」では、アプリケーションが設定時間以上に開かない場合は、システムはユーザーにアプリケーションを消去するかどうか自動的に思い出させ、
「ファイルブラウザーインターフェース」は画面上端のメニューバー、及びメニューバー下のファイル表示領域を備え、メニューバーはファイルをファイル名、ファイルサイズ、ファイルの種類、及びファイルの日付に従って配列することを選択でき、
ファイル表示領域上では、ユーザーがタッチしてファイルを開き、左又は右にスライドしてファイルを消去し、かつ長押ししてファイル名を変更し、
「マルチタスクインターフェース」は画面上端のメニューバー、及びメニューバー下の実行中アプリケーション表示領域を備え、実行中アプリケーション表示領域は実行中のアプリケーションのカードを表示し、メニューバーはＣＰＵ項目、メモリー項目及びバッテリー項目を備え、
どんなインターフェースでも、３本又はそれ以上の指を用いてタッチ又はダブルタッチすると「マルチタスクインターフェース」を開き、
又は、どんなインターフェースでも、３本又はそれ以上の指を一緒に用いて画面をスライドすると「マルチタスクインターフェース」を開く
請求項１に記載の操作システム。
【請求項９】
直接完全アプリケーション終了機能を備え、
アプリケーションのインターフェースで、１本又はそれ以上の指を用いて、画面下端から下から上にスライドし、又は画面上端から上から下にスライドして、直接該アプリケーションを完全に終了し、
又は、アプリケーションのインターフェースで、システムのメニューバーを引き出すことができ、メニューバー上に仮想終了ボタンがあり、仮想終了ボタンをタッチすると直接該アプリケーションを完全に終了し、
又は、アプリケーションのインターフェースで、ホームボタンを長押しすると、直接該アプリケーションを完全に終了し、
又は、アプリケーションのインターフェースで、電源ボタンタッチすると、直接該アプリケーションを完全に終了し、
又は、アプリケーションのインターフェースで、システムは装置が画面を下向きにして回転し、かつ画面と水平面の間の角度が設定値以下であると検出する場合は、システムが直接該アプリケーションを完全に終了し、
アプリケーションのインターフェースで、ホームボタンをダブルタッチして前に実行中のアプリケーションを直接開き、それによりアプリケーション間を素早く切り替え、
ホームボタン及び音量ボタンを同時に押して画面照度を調整する
請求項１に記載の操作システム。
【請求項１０】
前記システムがユーザーの重要な連絡先の全ての情報を１カ所に統合する重要な連絡先アプリケーションを備え、
ユーザーの重要な連絡先の頭部写真が重要な連絡先アプリケーションのアイコンであり、重要な連絡先アプリケーションのアイコンをタッチすると該重要な連絡先の全ての下位オプションを表示し、
又は、ユーザーが重要な連絡先の写真をデスクトップの背景写真として設定した後に、重要な連絡先アプリケーションが、デスクトップの背景写真を結合し、ユーザーが１本又はそれ以上の指で直接背景写真をタッチすると、下位オプションを引き出し、
ユーザーが背景写真において固有の経路に沿ってスライドすると背景写真内の重要な連絡先に関する固有の機能を直接開き、固有の機能は電話の発信、メッセージの送信、音声メッセージを残すこと、ビデオ通話を含み、
ユーザーは、ソーシャルネットワークでの重要な連絡先の個人状況が、背景写真に自動的に表示されることを設定できる
請求項１に記載の操作システム。
【手続補正２】
【補正対象書類名】明細書
【補正対象項目名】発明の名称
【補正方法】変更
【補正の内容】
【発明の名称】モバイル装置のための操作システム及び操作方法
【手続補正３】
【補正対象書類名】明細書
【補正対象項目名】０００１
【補正方法】変更
【補正の内容】
【０００１】
本発明は、モバイル装置の操作システム及びその方法の分野に属し、並びに特に本発明はジェスチャー、音声、スライド、アイコン自動表示及び対応するインターフェースモードに基づくモバイル装置のための操作方法に関する。
【手続補正４】
【補正対象書類名】明細書
【補正対象項目名】００１５
【補正方法】変更
【補正の内容】
【００１５】
上記従来技術の欠点を解決するため、本発明は、モバイル操作システムが提案されている。ここで、本発明の「モバイル装置のための操作システム」という用語は、ジェスチャー、音声、スライド、及びアイコン自動表示に基づいてアプリケーションを開く方法；ユーザー使用モードを検出して計算する方法；ユーザーのジェスチャーに基づいて自動的な起動、自動ロック解除、自動スリープ及びシャットダウンの方法;直接完全アプリケーション終了の方法;並びにマルチタスク、ファイル、アプリケーション、アイコン、ホーム画面のインターフェースモードを含む。
【手続補正５】
【補正対象書類名】明細書
【補正対象項目名】０２３２
【補正方法】変更
【補正の内容】
【０２３２】
上記の説明は、ただ本発明の好ましい実施例であり、本発明を限定するものではない。上述した実施例は本発明を詳細に説明しているが、熟練した技術者であれば、上述した実施例に記載する技術案に対する修正、または一部の技術的特徴の置換えができる。本発明の精神及び原理内のあらゆる修正、置換え、改善は、本発明の保護範囲に属する。例えば、上記の「指」はすべて「ペン」と置換えることができ、またはマウス、タッチパッドなどのスクリーンカーソル制御デバイスで置換えることができ、 例えば、上記の「ホームボタン」はすべて、「電源ボタン」に置換えてもよい。